(57)【特許請求の範囲】
【請求項１】
四角筒状の周壁部材、この周壁部材の背面に密封状態で一体形成あるいは固定された背面板、前記周壁部材の前面に密封状態で固定あるいは一体形成された額縁形状となるように四角形状の透孔を有する正面板とからなる内部に立体的に押葉等を飾ることができる箱状のケース体と、このケース体の正面板の透孔の周縁部あるいは周縁部寄りの部位より該ケース体内へ順次拡開状態で突出するように設けられたカバー部材と、前記正面板の透孔を密封状態で覆うように接着固定される透明材製のカバーとからなることを特徴とする押葉等の飾りケース。
【請求項２】
四角筒状の周壁部材、この周壁部材の背面に密封状態で一体形成あるいは固定された背面板、前記周壁部材の前面に密封状態で固定あるいは一体形成された額縁形状となるように四角形状の透孔を有する正面板とからなる内部に立体的に押葉等を飾ることができる箱状のケース体と、このケース体の正面板の透孔の周縁部あるいは周縁部寄りの部位より該ケース体内へ順次拡開状態で突出するように設けられたカバー部材と、前記正面板の透孔を密封状態で覆うように接着固定されたガラス板等の透明材製のカバーと、前記ケース体の開口部を接着剤や粘着テープ等で密封状態に固定することができる開閉蓋とからなることを特徴とする押葉等の飾りケース。
【請求項３】
四角筒状の周壁部材、この周壁部材の背面に密封状態で一体形成あるいは固定された背面板、前記周壁部材の前面に密封状態で固定あるいは一体形成された額縁形状となるように四角形状の透孔を有する正面板とからなる内部に立体的に押葉等を飾ることができる箱状のケース体と、このケース体の正面板の透孔の周縁部あるいは周縁部寄りの部位より該ケース体内へ順次拡開状態で突出するように設けられたカバー部材と、このカバー部材と前記ケース体の壁面との間に挿入された脱酸素剤や乾燥剤等の押葉等の保存剤と、前記カバー部材の内奥部に押葉等を挟んで飾ることができる複数枚の透明板と、前記正面板の透孔を密封状態で覆うように接着固定される透明材製のカバーとからなることを特徴とする押葉等の飾りケース。
【請求項４】
四角筒状の周壁部材、この周壁部材の背面に密封状態で一体形成あるいは固定された背面板、前記周壁部材の前面に密封状態で固定あるいは一体形成された額縁形状となるように四角形状の透孔を有する正面板とからなる内部に立体的に押葉等を飾ることができる箱状のケース体と、このケース体の正面板の透孔の周縁部あるいは周縁部寄りの部位より該ケース体内へ順次拡開状態で突出するように設けられたカバー部材と、このカバー部材と前記ケース体の壁面との間に挿入された脱酸素剤や乾燥剤等の押葉等の保存剤と、前記正面板の透孔を密封状態で覆うように接着固定されたガラス板等の透明材製のカバーと、前記カバー部材の内奥部に押葉等を挟んで飾ることができる複数枚の透明板と、前記ケース体の開口部を接着剤や粘着テープ等で密封状態に固定することができる開閉蓋とからなることを特徴とする押葉等の飾りケース。
【発明の詳細な説明】
【０００１】
【発明の属する技術分野】
本発明はドライフラワーや押葉等を飾った状態に収納し、額縁のように飾ることができる押葉等の飾りケースに関する。
【０００２】
【従来の技術】
従来、押葉を飾る場合、透明なアクリル板やガラス板等の透明板と密封するためのアルミ箔等のシートとの間に押葉を配置し、該透明板とシートとの間に隙間が生じないように押し圧して接着剤や接着テープ等で固定している。
【０００３】
【発明が解決しようとする課題】
従来の押葉飾りは押葉が透明板とシートとに押し圧された状態となるため、立体感が得られず、平面的な使用しかできず、利用範囲が限定されるとともに、きれいに見せることができないという欠点があった。
【０００４】
本発明は以上のような従来の欠点に鑑み、押葉等を立体的にきれいに飾ることができるとともに、長期間最初の状態を保つことができる押葉等の飾りケースを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
上記目的を達成するために、本発明は 四角筒状の周壁部材、この周壁部材の背面に密封状態で一体形成あるいは固定された背面板、前記周壁部材の前面に密封状態で固定あるいは一体形成された額縁形状となるように四角形状の透孔を有する前面板とからなる内部に立体的に押葉等を飾ることができる箱状のケース体と、このケース体の前面板の透孔の周縁部あるいは周縁部寄りの部位より該ケース体内へ順次拡開状態で突出するように設けられたカバー部材と、前記正面板の透孔を密封状態で覆うように接着固定される透明材製のカバーとで押葉等の飾りケースを構成している。
【０００７】
【発明の実施の形態】
以下、図面に示す実施の形態により本発明を詳細に説明する。
【０００８】
図１ないし図９の本発明の第１の実施の形態において、１は箱状のケース体で、このケース体１は図２および図３に示すように四角筒状の周壁部材２と、この周壁部材２の背面に密封状態で一体形成あるいは固定された背面板３と、前記周壁部材２の前面に密封状態で固定あるいは一体形成された額縁形状となるように四角形状の透孔４を有する前面板５とで構成されている。
【０００９】
６は前記ケース体１の前面板５の透孔４の周縁部より該ケース体１内に順次拡開状態で突出するように一体成形されたカバー部材で、このカバー部材６は前面側の幅寸法よりも背面側の幅寸法が大きくなるように形成されるとともに、少なくとも１箇所以上の隅部、本実施の形態では４箇所の隅部に切欠部７、７、７、７が形成されている。
【００１０】
８は前記ケース体１の周壁部材２と前記カバー部材６との間に、該カバー部材６の切欠部７、７、７、７より挿入された押葉等の保存剤で、この押葉等の保存剤８は押葉等を最初の状態に長期間保存することができる脱酸素剤や乾燥剤である。
【００１１】
９は前記カバー部材６の内奥部に収納される押葉等を挟んで飾ることができる複数枚のガラスやアクリル等の透明板である。
【００１２】
１０は前記ケース体１の前面板５の透孔６を密封状態で覆うように接着固定されるガラス、アクリル等の透明材製のカバーである。
【００１３】
上記構成の押葉等の飾りケース１１は、図４に示すようにケース体１内に複数枚の透明板９と押葉等の保存剤８を収納するとともに、前面板５にカバー１０を位置させ、密封袋１２に密封して市販される。
【００１４】
使用する場合には、図５に示すように押葉等の保存剤８を切欠部７、７、７、７よりカバー部材６の外周部に位置させ、用意した押葉１３を図６に示すように複数枚の透明板９間に配置し、粘着テープ１４等を用いて複数枚の透明板９が位置ずれしないように固定した後、両面テープ１５等を用いて図７に示すように押葉１３が配置されて重ね合わされた透明板９をカバー部材６の内奥部に位置するようにケース体１の背面板３に固定する。
しかる後、図８に示すように接着剤や粘着テープを用いて、前面に位置する透明板９に用意したドライフラワー１６を配置を考えて固定する。
【００１５】
次に、ケース体１の前面板５の透孔６を密封するように、図９に示すように接着剤を用いてカバー１０を前面板５に接着固定する。必要に応じてはカバー１０の外周部を密封あるいは装飾するための金、銀テープ等の装飾テープを貼る。
【００１６】
上記のようにして作られた押葉等の飾り１７はケース体１内に押葉１３やドライフラワー１６が立体的に配置されるとともに、ケース体１内は密封状態となりかつ外部から見えない部位に配置した押葉等の保存剤８によって、押葉１３やドライフラワー１６が最初の状態を長期間保つことができる。
【００１７】
(発明の異なる実施の形態)
次に、図１０ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図１０ないし図１２に示す本発明の第２の実施の形態において、前記本発明の第１の実施の形態と主に異なる点は、カバー部材６が一体成形されるとともに、カバー１０が密封状態で固定された前面板５Ａを周壁部材２に嵌合固定できるように形成したケース体１Ａを用いた点で、このように形成したケース体１Ａは周壁部材２に前面板５Ａを嵌合固定した後、嵌合部の外周部に粘着テープ１４を貼り付けることにより密封を図ることができる押葉等の飾りケース１１Ａにでき、前記本発明の第１の実施の形態と同様な作用効果が得られる。
【００１９】
図１３ないし図１５の本発明の第３の実施の形態において、前記本発明の第２の実施の形態と主に異なる点は、背面板３に前面が前面板５Ａの透孔４の周縁部寄りの部位に位置するカバー部材６Ａを固定した点で、このように形成したケース体１Ｂを用いた押葉等の飾りケース１１Ｂにしても、前記本発明の第２の実施の形態と同様な作用効果が得られる。
【００２０】
図１６ないし図１８の本発明の第４の実施の形態において、前記本発明の第１の実施の形態と主に異なる点は、あらかじめ前面板５にカバー１０を密封状態に固定しておくとともに、背面に開口部１８を形成し、該開口部１８を接着剤や粘着テープ等で密封状態に固定することができる開閉蓋１９を用いたケース体１Ｃにした点で、このように形成したケース体１Ｃを用いて構成した押葉等の飾りケース１１Ｃにしても、前記本発明の第１の実施の形態と同様な作用効果が得られる。
【００２１】
図１９ないし図２１の本発明の第５の実施の形態において、前記本発明の第４の実施の形態と主に異なる点は、開閉蓋１９に前面が前面板５の透孔４の周縁部寄りの部位に位置するカバー部材６Ｂを固定した点で、このように形成したケース体１Ｄを用いた押葉等の飾りケース１１Ｄにしても、前記本発明の第４の実施の形態と同様な作用効果が得られる。
【００２２】
【発明の効果】
以上の説明から明らかなように、本発明にあっては次に列挙する効果が得られる。
【００２３】
（１） 四角筒状の周壁部材、この周壁部材の背面に密封状態で一体形成あるいは固定された背面板、前記周壁部材の前面に密封状態で固定あるいは一体形成された額縁形状となるように四角形状の透孔を有する前面板とからなる内部に立体的に押葉等を飾ることができる箱状のケース体と、このケース体の前面板の透孔の周縁部あるいは周縁部寄りの部位より該ケース体内へ順次拡開状態で突出するように設けられたカバー部材と、前記正面板の透孔を密封状態で覆うように接着固定される透明材製のカバーとで構成されているので、ケース体内のカバー部材内に押葉等を配置して、押葉等を立体的に飾ることができる。
したがって、きれいに見せることができる。
【００２４】
（２）前記（１）によって、ケース体内が密封状態にできるので、内部に収納した押葉等の保存を長期間変色したり、退色するのを効率よく防止することができる。
【００２５】
（３）前記（１）によって、押葉等を額縁内に収納した状態に見せることができる。したがって、立体感のある飾りとして使用することができる。
【００２６】
（４）前記（１）によって、構造が簡単であるので、誰でもが楽に使用することができる。
【００２７】
（５）請求項２も前記（１）〜（４）と同様な効果が得られる。
【００２８】
（６）請求項３、４も前記（１）〜（４）と同様な効果が得られるとともに、外部から見えない部位に収納される押葉等の保存剤によって、より効率よくケース体内に収納された押葉等の保存を図ることができる。
【図面の簡単な説明】
【図１】本発明の第１の実施の形態を示す分解斜視図。
【図２】本発明の第１の実施のケース体の斜視図。
【図３】図２の３−３線に沿う断面図。
【図４】本発明の第１の実施の形態の市販状態の説明図。
【図５】本発明の第１の実施の形態の押葉等の保存剤の収納状態の説明図。
【図６】本発明の第１の実施の形態の押葉の取付け状態の説明図。
【図７】本発明の第１の実施の形態の透明板の固定状態の説明図。
【図８】本発明の第１の実施の形態のドライフラワーの取付け状態の説明図。
【図９】本発明の第１の実施の形態の仕上げた状態の説明図。
【図１０】本発明の第２の実施の形態の分解斜視図。
【図１１】本発明の第２の実施の形態のケース体の説明図。
【図１２】本発明の第２の実施の形態の仕上げた状態の説明図。
【図１３】本発明の第３の実施の形態の分解斜視図。
【図１４】本発明の第３の実施の形態のケース体の説明図。
【図１５】本発明の第３の実施の形態の仕上げた状態の説明図。
【図１６】本発明の第４の実施の形態の分解斜視図。
【図１７】本発明の第４の実施の形態のケース体の説明図。
【図１８】本発明の第４の実施の形態の仕上げた状態の説明図。
【図１９】本発明の第５の実施の形態の分解斜視図。
【図２０】本発明の第５の実施の形態のケース体の説明図。
【図２１】本発明の第５の実施の形態の仕上げた状態の説明図。
【符号の説明】
１、１Ａ、１Ｂ、１Ｃ、１Ｄ：ケース体、
２：周壁部材、              ３：背面板、
４：透孔、                  ５、５Ａ：前面板、
６、６Ａ、６Ｂ：カバー部材、７：切欠部、
８：押葉等の保存剤、        ９：透明板、
１０：カバー、
１１、１１Ａ、１１Ｂ、１１Ｃ、１１Ｄ：押葉等の飾りケース、
１２：密封袋、              １３：押葉、
１４：粘着テープ、          １５：両面テープ、
１６：ドライフラワー、      １７：押葉等の飾り、
１８：開口部、              １９：開閉蓋。
【図１】
0003884798.tif 000002
【図２】
0003884798.tif 000003
【図３】
0003884798.tif 000004
【図４】
0003884798.tif 000005
【図５】
0003884798.tif 000006
【図６】
0003884798.tif 000007
【図７】
0003884798.tif 000008
【図８】
0003884798.tif 000009
【図９】
0003884798.tif 000010
【図１０】
0003884798.tif 000011
【図１１】
0003884798.tif 000012
【図１２】
0003884798.tif 000013
【図１３】
0003884798.tif 000014
【図１４】
0003884798.tif 000015
【図１５】
0003884798.tif 000016
【図１６】
0003884798.tif 000017
【図１７】
0003884798.tif 000018
【図１８】
0003884798.tif 000019
【図１９】
0003884798.tif 000020
【図２０】
0003884798.tif 000021
【図２１】
0003884798.tif 000022